(57)【要約】【課題】光沢領域を含む画像を読み取ったときにその光沢領域が予期せぬ色に処理されてしまうのを防止する。【解決手段】画像処理装置１０は、スキャナ機構３１によって入力された画像情報をコントローラ２０のＲＡＭ２６に設けられたスキャナバッファ２６ａに格納する。そして、ＣＰＵ２２が、スキャナバッファ２６ａに格納された画像情報に含まれる光沢領域を判定し、判定された光沢領域を予め定められた特定色として処理してＲＡＭ２６の印刷バッファ２６ｂに格納する。その後、ＣＰＵ２２から印刷指令を受けたプリンタＡＳＩＣ４２は、印刷バッファ２６ｂに格納された画像情報を読み出しプリンタ機構４１を制御して印刷を行う。【選択図】        図１
2004363731.tif 000002
【特許請求の範囲】
【請求項１】
画像を読み取って画像情報として入力する画像読取手段と、
前記画像読取手段によって入力された前記画像情報に光沢領域が含まれるか否かを判定する判定手段と、
前記判定手段により前記画像情報に光沢領域が含まれていると判定されたときその光沢領域を予め定められた特定色として処理する処理手段とを備えた画像処理装置。
【請求項２】
前記判定手段は、前記画像に光を当てその反射した光の強さにより反射率を検出し該反射率が所定の範囲を超えるか否かにより前記画像情報に光沢領域が含まれるか否かを判定する、請求項１に記載の画像処理装置。
【請求項３】
前記特定色は、無色である、請求項１又は２に記載の画像処理装置。
【請求項４】
前記画像は、所定のドーナツ形状の光沢媒体に施された画像である、請求項１〜３のいずれかに記載の画像処理装置。
【請求項５】
請求項１〜４のいずれかに記載の画像処理装置であって、
ユーザに前記特定色を２以上の色から選択させる選択手段を備え、
前記処理手段は、前記判定手段により判定された光沢領域を前記選択手段により選択された特定色として処理を行う、画像処理装置。
【請求項６】
前記選択手段は、前記判定手段により判定された前記光沢領域が２箇所以上に分布しているとき各箇所の光沢領域ごとにユーザに前記特定色を２以上の色から選択させ、前記処理手段は、各箇所の光沢領域を各箇所の光沢領域ごとに前記選択手段により選択された特定色として処理を行う、請求項５に記載の画像処理装置。
【請求項７】
請求項１〜６のいずれかに記載の画像処理装置であって、
前記画像読取手段によって入力された前記画像情報を出力する出力手段を備え、
前記出力手段は、前記画像読取手段によって入力された前記画像情報のうち前記処理手段によって前記特定色として処理された前記光沢領域については前記特定色として出力する、画像処理装置。
【請求項８】
前記出力手段は、前記画像情報を印刷媒体に印刷出力する印刷手段である、請求項７に記載の画像処理装置。
【請求項９】
前記画像は、前記所定のドーナツ形状の光沢媒体に施された画像であり、前記印刷媒体は、前記所定のドーナツ形状の光沢媒体であるときに、前記処理手段は、前記光沢領域を無色として処理する、請求項８に記載の画像処理装置。
【請求項１０】
前記画像処理装置は、スキャナとプリンタが一体となったスキャナ付きプリンタである、請求項８又は９に記載の画像処理装置。
【請求項１１】
画像処理装置に搭載されたコンピュータが実行する画像処理方法であって、
（ａ）画像を読み取って画像情報として入力するステップと、
（ｂ）前記ステップ（ａ）によって入力された前記画像情報に光沢領域が含まれるか否かを判定するステップと、
（ｃ）前記ステップ（ｂ）により前記画像情報に光沢領域が含まれていると判定されたときその光沢領域を予め定められた特定色として処理するステップとを含む画像処理方法。
【請求項１２】
請求項１１に記載の画像処理方法の各ステップを１又は複数のコンピュータに実現させるためのプログラム。
【発明の詳細な説明】
【０００１】
【発明の属する技術分野】
本発明は、画像処理装置、その方法及びそのプログラムに関する。
【０００２】
【従来の技術】
従来、画像を読み取って画像情報として入力する画像読取手段を備えた画像処理装置としては、記録媒体であるコンパクトディスク−レコーダブル（ＣＤ−Ｒ）を載せる所定のトレイと、そのレーベル面を読み取るスキャナ機構を備えたものが提案されている（例えば、特許文献１参照）。この装置では、レーベル面に印刷が施されたＣＤ−Ｒをトレイ上に載せてそのレーベル面の画像を読み取り、画像情報として利用するものである。ここで、読み取るＣＤのレーベル面の画像は、金属光沢をもつ下地に施されているため、レーベル面のうち印刷が施されていない領域は金属光沢のままである場合がある。
【０００３】
【特許文献１】
特開２００３−１８７３号公報
【０００４】
【発明が解決しようとする課題】
しかしながら、このような金属光沢の領域を含む画像をスキャナ機構を用いて読み取ると、金属光沢の領域は反射率が高すぎるため、予期せぬ色に処理されてしまいスキャンして得られる画像をそのまま利用することができないという不都合が生じた。また、ＣＤに限らず銀色、金色等の金属光沢や鏡面などの領域を含む画像やオブジェをスキャナ機構で読み取り画像情報として利用したい場合にも同様の不都合が生じていた。
【０００５】
本発明は、このような課題に鑑みなされたものであり、光沢領域を含む画像を読み取ったときにその光沢領域が予期せぬ色に処理されてしまうのを防止する画像処理装置、画像処理方法及びそのプログラムを提供することを目的とする。
【０００６】
【課題を解決するための手段およびその作用・効果】
本発明の画像処理装置、画像処理方法及びそのプログラムは、上述の目的を達成するために以下の手段を採った。
【０００７】
本発明の画像処理装置は、
画像を読み取って画像情報として入力する画像読取手段と、
前記画像読取手段によって入力された前記画像情報に光沢領域が含まれるか否かを判定する判定手段と、
前記判定手段により前記画像情報に光沢領域が含まれていると判定されたときその光沢領域を予め定められた特定色として処理する処理手段とを備えたものである。
【０００８】
この画像処理装置では、画像読取手段によって入力された画像情報に光沢領域が含まれている場合、入力された画像情報に含まれる光沢領域を判定手段により判定しその判定された光沢領域を予め定められた特定色として処理する。したがって、光沢領域を含む画像を読み取ったときにその光沢領域が予期せぬ色に処理されてしまうのを防止することができる。ここで、「光沢領域」とは、銀色、金色等の金属光沢の領域や鏡面などの領域としてもよい。また、「特定色」とは、無色を含む視覚的な色の中から特定された色をいう。
【０００９】
この態様を採用した本発明の画像処理装置において、前記判定手段は、前記画像に光を当てその反射した光の強さにより反射率を検出し該反射率が所定の範囲を超えるか否かにより前記画像情報に光沢領域が含まれるか否かを判定してもよい。こうすれば、光沢領域は反射率が高いため、反射率を用いて容易に光沢領域か否かを判定できる。ここで、反射率の「所定の範囲」は、例えば予め光沢領域の反射率と非光沢領域の反射率を実際に測定し、その測定結果に基づいて光沢領域と明確に区別しうる非光沢領域の反射率の範囲を定め、その範囲としてもよい。
【００１０】
この態様を採用した本発明の画像処理装置において、前記特定色は、無色であってもよい。こうすれば、光沢領域が無色として処理されるため、画像処理後に光沢領域をユーザがトリミングする必要がない。
【００１１】
この態様を採用した本発明の画像処理装置において、前記画像は、所定のドーナツ形状の光沢媒体に施された画像であってもよい。こうすれば、所定のドーナツ形状の光沢媒体に画像が施されているので、画像のうち下地部分をそのまま利用している部分が光沢領域となるが、その部分が予期せぬ色に処理されることがない。
【００１２】
この態様を採用した本発明の画像処理装置は、ユーザに前記特定色を２以上の色から選択させる選択手段を備え、前記処理手段は、前記判定手段により判定された光沢領域を前記選択手段により選択された特定色として処理を行ってもよい。こうすれば、特定色をユーザが選択できるので、ユーザの望みの画像を得ることができる。
【００１３】
この態様を採用した本発明の画像処理装置において、前記選択手段は、前記判定手段により判定された前記光沢領域が２箇所以上に分布しているとき各箇所の光沢領域ごとにユーザに前記特定色を２以上の色から選択させ、前記処理手段は、各箇所の光沢領域を各箇所の光沢領域ごとに前記選択手段により選択された特定色として処理を行ってもよい。こうすれば、光沢領域が複数箇所に分布しているとき各々の光沢領域を各々の特定色として選択することができる。
【００１４】
本発明の画像処理装置は、前記画像読取手段によって入力された前記画像情報を出力する出力手段を備え、前記出力手段は、前記画像読取手段によって入力された前記画像情報のうち前記処理手段によって前記特定色として処理された前記光沢領域については前記特定色として出力してもよい。こうすれば、特定色として処理された前記光沢領域については前記特定色として出力されるため、光沢領域を含む画像を読み取ったときにその光沢領域が予期せぬ色に処理されて出力されるのを防止することができる。
【００１５】
この態様を採用した本発明の画像処理装置において、前記出力手段は、前記画像情報を印刷媒体に印刷出力する印刷手段であってもよい。こうすれば、画像読取手段によって読み取られた画像のうち光沢領域については予期せぬ色ではなく特定色として印刷される。
【００１６】
この態様を採用した本発明の画像処理装置において、前記画像は、前記所定のドーナツ形状の光沢媒体に施された画像であり、前記印刷媒体は、前記所定のドーナツ形状の光沢媒体であり、前記処理手段は、前記光沢領域を無色として処理してもよい。所定のドーナツ形状の光沢媒体に施された画像を読み取り同じドーナツ形状の光沢媒体に印刷する際、読み取った画像に光沢領域つまり下地をそのまま利用した部分が含まれている場合には、その光沢領域は無色として印刷されるため印刷媒体には色が抜かれて印刷され下地の色が現れる。したがって、所定のドーナツ形状の光沢媒体に施された画像は、同じドーナツ形状の光沢媒体へ再現よく複写される。
【００１７】
この態様を採用した前記画像処理装置は、スキャナとプリンタが一体となったスキャナ付きプリンタであってもよい。こうすれば、スキャナによって入力された画像情報がプリンタによって印刷媒体に印刷されるため、本発明の構成を容易に実現できる。
【００１８】
本発明の画像処理方法は、画像処理装置に搭載されたコンピュータが実行する画像処理方法であって、
（ａ）画像を読み取って画像情報として入力するステップと、
（ｂ）前記ステップ（ａ）によって入力された前記画像情報に光沢領域が含まれるか否かを判定するステップと、
（ｃ）前記ステップ（ｂ）により前記画像情報に光沢領域が含まれていると判定されたときその光沢領域を予め定められた特定色として処理するステップとを含むものである。
【００１９】
この画像処理方法では、入力された画像情報に光沢領域が含まれている場合、その光沢領域を予め定められた特定色として処理する。したがって、光沢領域を含む画像を読み取ったときにその光沢領域が予期せぬ色に処理されてしまうのを防止することができる。なお、この画像処理方法において、上述した画像処理装置の種々の態様を採用してもよいし、また、上述した画像処理装置の機能を実現するようなステップを追加してもよい。
【００２０】
本発明は、上述した画像処理方法の各ステップを画像処理装置に搭載された１又は複数のコンピュータに実行させるためのプログラムとしてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを画像処理装置に搭載されたコンピュータに実行させれば、画像処理装置は上述の画像処理方法の各ステップを実行するため、上述の画像処理方法と同様の作用効果が得られる。なお、本発明における画像処理装置は、１つのコンピュータで各ステップのすべてを実行してもよいし、複数のコンピュータで各ステップを分担して実行してもよい。
【００２１】
【発明の実施の形態】
次に、本発明の実施の形態を図面に基づいて説明する。図１は、本発明の一実施形態である画像処理装置の概略構成を表すブロック図である。本実施形態の画像処理装置１０は、装置全体の制御を司るコントローラ２０と、スキャナ機能を実行するスキャナ機構３１とこのスキャナ機構３１を制御するスキャナＡＳＩＣ３２を含んで構成されるスキャナ部３０と、プリンタ機能を実現するプリンタ機構４１とこのプリンタ機構４１を制御するプリンタＡＳＩＣ４２を含んで構成されるプリンタ部４０と、ユーザが各種の指令を入力する操作パネル５０とを備えている。なお、「ＡＳＩＣ」とは、アプリケーション・スペシフィック・インテグレーテッド・サーキット（Ａｐｐｌｉｃａｔｉｏｎ  Ｓｐｅｃｉｆｉｃ  Ｉｎｔｅｇｒａｔｅｄ  Ｃｉｒｃｕｉｔ）の略である。
【００２２】
コントローラ２０は、ＣＰＵ２２を中心とするマイクロプロセッサとして構成されており、処理プログラムを記憶したＲＯＭ２４と、一時的にデータを記憶するＲＡＭ２６とを備えている。このコントローラ２０は、バス２８を介してスキャナＡＳＩＣ３２や、プリンタＡＳＩＣ４２、操作パネル５０と接続されている。
【００２３】
スキャナ部３０は、スキャナ機構３１とスキャナＡＳＩＣ３２を備えている。
スキャナ機構３１は、いわゆるフラットベッド型であり、画像が施された媒体Ｍを載せるガラス面３３と、このガラス面３３を介して媒体Ｍに表示された内容を光学的に読み取るラインイメージセンサ３４と、媒体Ｍを読み取るためラインイメージセンサ３４を走査させる移動部３６とを備えている。また、スキャナＡＳＩＣ３２はスキャナ機構３１を制御する機能を備えたＩＣチップであり、スキャナ機構３１のラインイメージセンサ３４で読み取られたスキャンデータを、コントローラ２０のＲＡＭ２６に設けられたスキャナバッファ２６ａに格納する。本実施形態のラインイメージセンサ３４は、媒体Ｍに向かって発光した後の反射光をレッド（Ｒ）、グリーン（Ｇ）、ブルー（Ｂ）の各色に分解してスキャンデータとする周知のカラーイメージセンサである。画像としては、標準規格で定められた所定のドーナツ形状の光沢媒体（ＣＤ、ＤＶＤなど、以下同じ。）のレーベル面に施された画像のほか、任意の形状を有する媒体に施された画像を用いることができる。なお、図１では媒体Ｍを固定してラインイメージセンサ３４を移動させる方式を例示したが、ラインイメージセンサ３４を固定してローラ等で媒体Ｍを移動させる方式を採用してもよい。
【００２４】
プリンタ部４０は、プリンタ機構４１とプリンタＡＳＩＣ４２とを備えている。プリンタ機構４１は、水平方向に移動するキャリッジ４４に搭載されたインクカートリッジ４５と、このインクカートリッジ４５の下方に設けられ媒体Ｎにインクを吐出するインクヘッド部４６と、回転することにより媒体Ｎをインクヘッド４６の印字位置に送り込むローラ４８とを備えている。本実施形態のインクカートリッジ４５は、シアン（Ｃ）、マゼンダ（Ｍ）、イエロー（Ｙ）、ブラック（Ｂ）を各色ごとに収納したカラー印刷用のカートリッジである。また、プリンタＡＳＩＣ４２は、プリンタ機構４１を制御する機能を備えたＩＣチップであり、ＲＡＭ２６に設けられた印刷バッファ２６ｂ内に格納された画像情報などを１ページごとにビットマップイメージに展開した展開データが媒体Ｎに印刷されるようにプリンタ機構４１を制御する。このプリンタ部４０では、紙などの媒体に印刷できるほか、ＣＤなどの標準規格で定められた所定のドーナツ形状の光沢媒体を媒体Ｎとすることもできる。これらドーナツ形状の光沢媒体は、所定のトレイ４９上に載せ、プリンタ部４０の所定位置にセットして印刷を行う。
【００２５】
操作パネル５０は、ユーザが画像処理装置１０に対して各種の指令を入力するためのデバイスであり、図２に示すように、各種の指令に応じた文字、図形又は記号が表示されるディスプレイ５２、スキャンボタン５３、印刷ボタン５４、ユーザが処理を選択するカーソル等を移動させるカーソル移動ボタン５５と処理選択等を決定する決定ボタン５６等がある。
【００２６】
リーダライタ６０は画像処理装置１０の筐体に設けられたスロット６２に差し込まれたメモリーカード６４に対してデータの読み書きを行う。
【００２７】
次に、こうして構成された本実施形態の画像処理装置１０の動作について説明する。ここで、本実施形態では、読み取られる媒体Ｍは、金属光沢を有する下地をそのまま利用した部分（光沢領域）を含んで全体の画像が形成されているＣＤであり、印刷される媒体Ｎは、印刷面が光沢媒体の下地そのままであるＣＤ−Ｒである場合について説明する。まず、ユーザは、印刷を行う前にスキャナ機構３１のガラス面３３の予め定められた位置に画像が施されたＣＤを載せ、印刷を行うＣＤ−Ｒを所定のトレイ４９に載せプリンタ部４０にセットする。
【００２８】
図３は、コントローラ２０のＣＰＵ２２により実行される光沢領域処理ルーチンのフローチャートである。このルーチンは、ＲＯＭ２４に記憶され、ユーザがスキャンボタン５３を押すことにより実行される。スキャンボタン５３が押されると、ＣＰＵ２２は、スキャナＡＳＩＣ３２へスキャン実行を指令する（ステップＳ１００）。するとスキャナＡＳＩＣ３２は、スキャナ機構３１を制御してガラス面３３上の画像をラインイメージセンサ３４で光学的に読み取り、読み取った画像情報をコントローラ２０のＲＡＭ２６に設けられたスキャナバッファ２６ａに格納する。そして、ＣＰＵ２２は、スキャンが終了したか否かを、スキャナＡＳＩＣ３２からスキャン終了信号を入力したか否かによって判定し（ステップＳ１１０）、スキャンが終了していないときにはそのまま待機する。一方、ステップＳ１１０でスキャンが終了したときには、スキャナバッファ２６ａに格納された画像情報に光沢領域が含まれるか否かを判定する（ステップＳ１２０）。
【００２９】
ここで、光沢領域の判定方法について詳しく説明する。スキャナ機構３１の画像情報の読み取りは、ラインイメージセンサ３４上の発光素子から出力された光を画像に当てその反射した光を受光素子が入力し、入力した光の強さに応じて発生する電荷の量を電圧として出力することにより行う。なお、発光素子から出力される光の強さは一定のため、受光素子から出力された電圧値を反射率とみなすことができる。また、光沢領域を含まないと判定される反射率の範囲は、予め光沢領域の反射率と非光沢領域の反射率を実際に測定し、その測定結果に基づいて光沢領域と明確に区別しうる非光沢領域の反射率の範囲を定め、コントローラ２０のＲＯＭ２４にデータとして記憶しておく。そして、実際にスキャン機構３１がスキャンした画像情報とＲＯＭ２４に記憶したデータとをＣＰＵ２２が比較することにより、反射率がＲＯＭ２４に記憶したデータを超える部分を画像情報に含まれる光沢領域として判定することができる。
【００３０】
ステップＳ１２０で光沢領域が含まれていると判定されると、ＣＰＵ２２は、特定色選択画面をディスプレイ５２に表示させ特定色をユーザにカーソル移動ボタン５５により選択させる（ステップＳ１３０）。この選択処理により、特定色を選択することができるのでユーザは望みの画像を得ることができる。特定色の選択は、ディスプレイ５２に予め定められた色例えば黄色、黒色、無色などの色の名称を表示させて行う。なお、特定色の選択は、カラーパレットから行うようにしてもよいし、色相・彩度・明度の値を入力して選択するようにしてもよい。特定色をユーザが選択すると、ＣＰＵ２２は、スキャナバッファ２６ａに格納された画像情報のうちステップＳ１２０において判定された光沢領域をユーザが選択した特定色として処理し（ステップＳ１４０）、その処理を行った画像情報をＲＡＭ２６に設けられた印刷バッファ２６ｂに格納する（ステップＳ１５０）。
なお、このステップＳ１５０では、ステップＳ１２０で光沢領域が含まれていないと判定された場合には、ＣＰＵ２２は、読み取った画像情報をそのまま印刷バッファ２６ｂに格納する。
【００３１】
次に、ＣＰＵ２２は、画像情報保存画面をディスプレイ５２に表示させ印刷バッファ２６ｂに格納された画像情報を保存するか否かについてユーザにカーソル移動ボタン５５により選択させる（ステップＳ１６０）。画像情報の保存は、画像処理装置１０の筐体に設けられたスロット６２に差し込まれたメモリーカード６４に行うこともできるし、図示しない画像処理装置１０に接続された外部記憶媒体へ行うこともできる。ユーザが、画像情報の保存を行う選択をすると、ＣＰＵ２２は、メモリーカード６４又は上記外部記憶媒体に対してデータの書き込みを行う（ステップＳ１７０）。
【００３２】
そして、ステップＳ１７０のあと、又はステップＳ１６０で画像情報の保存をユーザが行わなかったとき、ＣＰＵ２２は、印刷画面をディスプレイ５２に表示させ印刷バッファ２６ｂに格納された画像情報を印刷するか否かについてユーザにカーソル移動ボタン５５により選択させ（ステップＳ１８０）、画像情報を印刷する選択をユーザが行うと、印刷指令をプリンタＡＳＩＣ４２に出力する（ステップＳ１９０）。
【００３３】
すると、印刷指令を受けたプリンタＡＳＩＣ４２は、ＲＡＭ２６に設けられた印刷バッファ２６ｂに格納された画像情報を読み出しプリンタ機構４１を制御してトレイ４９上に載せられたＣＤ−Ｒのレーベル面へ印刷を行う。その後、ＣＰＵ２２は、印刷が終了したか否かを、プリンタＡＳＩＣ４２から印刷終了信号を入力したか否かによって判定し（ステップＳ２００）、印刷が終了していないときにはそのまま待機し、ステップＳ２００で印刷が終了したときには、そのままこのルーチンを終了する。一方、ステップＳ１８０で画像情報を印刷しない選択をユーザが行うとそのままこのルーチンを終了する。
【００３４】
ここで、本実施形態の構成要素と本発明の構成要素との対応関係を明らかにする。本実施形態のスキャナ部３０が本発明の画像読取手段に相当し、コントローラ２０が判定手段及び処理手段に相当し、コントローラ２０及び操作パネル５０が選択手段に相当し、プリンタ部４０が出力手段及び印刷手段に相当する。なお、本実施形態では、画像処理装置の動作を説明することにより本発明の画像処理方法の一例も明らかにしている。
【００３５】
以上詳述した本実施形態の画像処理装置１０によれば、スキャナ機構３１によって入力された画像情報に光沢領域が含まれている場合、ＣＰＵ２２がその画像情報に含まれる光沢領域を判定し、判定された光沢領域を予め定められた特定色として処理する。したがって、光沢領域を含む画像を読み取ったときにその光沢領域が予期せぬ色に処理されてしまうのを防止することができる。また、本実施形態の画像処理装置１０は、反射率により画像情報に光沢領域が含まれるか否かを判定するため、容易に光沢領域か否かを判定できる。更に、本実施形態の画像処理装置１０は、ユーザが光沢領域をどんな色にするかを選択することができるため、望みの画像を得ることができる。更にまた、本実施形態の画像処理装置１０は、スキャナとプリンタが一体となったスキャナ付きプリンタであるため、画像の読み取りから印刷までの一連の処理を容易に実現できる。そしてまた、読み取られる媒体が、金属光沢を有する下地をそのまま利用した部分（光沢領域）を含んで全体の画像が形成されているＣＤである場合、ユーザが無色を特定色として選択すると光沢領域が無色として処理されるため、画像処理後に光沢領域をユーザがトリミングする必要がない画像情報が得られる。このとき、印刷される媒体が、印刷面が光沢媒体の下地そのままであるＣＤ−Ｒである場合、印刷されるＣＤ−Ｒには色が抜かれて画像情報が印刷され下地をそのまま利用した部分（光沢領域）を含む画像が施されるため、ＣＤに施された画像をＣＤ−Ｒへ再現よく複写することができる。
【００３６】
なお、本発明は上述した実施形態に何ら限定されることはなく、本発明の技術的範囲に属する限り種々の態様で実施しうることはいうまでもない。
【００３７】
例えば、本発明の画像処理装置１０において、画像処理装置の操作パネル５０に自動コピーボタンを備え、読み取られる媒体が金属光沢を有する下地をそのまま利用した部分（光沢領域）を含んで全体の画像が形成されているＣＤであり、印刷する媒体が印刷面を光沢媒体の下地そのままであるＣＤ−Ｒである場合に、この自動コピーボタンを１度押す操作を行うとＣＰＵ２２が、下地をそのまま利用した画像をスキャナ機構３１により画像情報として入力し、入力した画像情報に含まれる光沢領域を検出し、検出した光沢領域を無色として処理してＣＤ−Ｒに印刷を行うようにしてもよい。こうすれば、簡単な操作で下地をそのまま利用した画像をＣＤからＣＤ−Ｒへ再現よく複写することができる。
【００３８】
また、上述した実施形態では、スキャン終了後光沢領域の有無を判定し、光沢領域がある場合にはその光沢領域を特定色として処理することとしたが、ＣＰＵ２２によって判定された光沢領域が複数箇所に分布しているとき、それらの光沢領域を視覚的に認識可能な態様（例えば網掛けなど）で画像処理装置１０に備えたディスプレイ５２に表示させその表示された画像情報に含まれる各箇所の光沢領域をどの色にするかをユーザが選択できるようにしてもよい。ディスプレイ５２に表示する光沢領域選択画面の一例を図４に表す。ディスプレイ５２には、スキャナ機構３１によって入力された画像情報５８及び、「どの範囲ですか？」というメッセージが表示される。画像情報５８は、光沢領域と判定された範囲である光沢領域５９ａ、光沢領域５９ｂを網掛け処理を行い表示される。そして、ユーザは、カーソル移動ボタン５５を操作してカーソル５７を上下左右に移動させ例えば光沢領域５９ａに合わせ決定ボタン５６により光沢領域を指定する。指定終了したとき、画面上にある指定終了に合わせ決定すると、指定した光沢領域をどの特定色として処理するかの選択画面がディスプレイ５２に表示され、ユーザは各光沢領域をどの特定色として処理するかを選択する。このような操作を繰り返すことによりすべての光沢領域を指定し、特定色を個々に選択することができる。こうすれば、光沢領域が複数判定された場合、各々の光沢領域を各々の特定色として処理することができるため、より自由度の高い処理を行いユーザの望む画像を得ることができる。ここで、画像情報の表示手段としては、画像処理装置１０に備えたディスプレイ５２のほか画像処理装置１０に接続された図示しないプリンタモニタに表示してもよいし、画像処理装置１０に接続された図示しないコンピュータ用のディスプレイに表示してもよい。なお、この場合において、予備スキャンを行い画像情報をディスプレイ５２等に表示させＣＰＵ２２に判定された光沢領域に対応した特定色をユーザが選択したのちに再度本スキャンを行って特定色に処理するようにしてもよい。
【００３９】
更に、上述した実施形態では、コントローラ２０、スキャナ部２０及びプリンタ部３０が一体となった画像処理装置としたが、それぞれを別々のものとして構成させてもよいし、組み合わせて構成させてもよい。例えば、コントローラ２０を備えたコンピュータと、そのコンピュータに接続されたスキャナ部３０を備えたスキャナ、プリンタ部４０を備えたプリンタという構成にしてもよい。こうすれば、既存のコンピュータ等のハード資源を用いることができるため、容易に本発明を実現することができる。また、この場合において、プリンタ部３０を省略してもよい。こうすれば、画像を画像情報としてインターネット上に配信するときのように入力した画像情報を印刷することなく利用する場合に、画像処理装置の構成を簡略化することができる。なお、プリンタ部３０に代えて画像処理装置１０に接続された図示しないコンピュータ用のディスプレイに光沢領域を特定色として処理した画像情報を表示出力させてもよい。
【００４０】
そしてまた、上述した実施形態では、スキャナ部３０で読み取った画像情報を印刷するとしたが、画像処理装置１０の筐体に設けられたスロット６２に差し込まれたメモリーカード６４に保存された画像情報又は図示しない画像処理装置１０に接続された外部記憶媒体などから選択して印刷を行ってもよい。こうすれば、保存した画像を利用して印刷することができる。
【図面の簡単な説明】
【図１】画像処理装置の概略構成を表すブロック図である。
【図２】操作パネル５０の説明図である。
【図３】光沢領域処理ルーチンのフローチャートである。
【図４】操作パネル５０の説明図である。
【符号の説明】
１０  画像処理装置、２０  コントローラ、２２  ＣＰＵ、２４  ＲＯＭ、２６  ＲＡＭ、２６ａ  スキャナバッファ、２６ｂ  印刷バッファ、３０  スキャナ部、３１  スキャナ機構、３２  スキャナＡＳＩＣ、３３  ガラス面、３４  ラインイメージセンサ、３６  移動部、４０  プリンタ部、４１  プリンタ機構、４２  プリンタＡＳＩＣ、４４  キャリッジ、４５  インクカートリッジ、４６  インクヘッド部、４８  ローラ、４９  トレイ、５０  操作パネル、５２  ディスプレイ、５３  スキャンボタン、５４  印刷ボタン、５５  カーソル移動ボタン、５６  決定ボタン、５７  カーソル、５８  画像情報、５９ａ  光沢領域、５９ｂ  光沢領域、６０  リーダライタ、６２  スロット、６４  メモリーカード。
【図１】
2004363731.tif 000003
【図２】
2004363731.tif 000004
【図３】
2004363731.tif 000005
【図４】
2004363731.tif 000006